(57)【要約】【課題】地震による引出の飛び出し、又は運搬や移動させる時の傾きや振動による引出の飛び出しを、自然的にロックして防止し、また半開き状態で地震に見舞われたとき、その半開き状態の位置からロックの反動で即引き戻して閉止状態にし、その震動や振動が静止又は平常状態になった時、引出が自然に即元の状態に戻る引出家具の提供。【解決手段】重心を上にしたストッパー振子１を引出６の底板下面直下の引き出し口９直近に設け、一方の引出６底板下面に、単体又は列なる引出ストッパー５を奥行き方向に設けて地震時にストッパー振子１先端のストッパー２が、地震動又は振動で振り上がって引出６の底板下面の引出ストッパー５に突き当り、引出６の飛び出しを止める引出用地震時自然ロック装置を引出家具に構成する。【選択図】図３
2007037930.tif 000002
【特許請求の範囲】
【請求項１】
重心を支点上とやや片側寄りにしたストッパー振子を引出の底板下面直下の引き出し口直近又は引き出し口から奥行きの間に設け、一方の引出底板下面に、単体又は列なる引出ストッパーを前後方向に形成し、地震でストッパー振子の片側を振り上げ、引出ストッパーに突き当って引出の飛び出しをストップさせると同時に引出を引き込んでロックし、震動の静止でロック解除する引出用地震時自然ロック装置。
【請求項２】
半開き又は中途開き状態の引出を、地震でその位置からそのまま引き込んでロックし、その静止でロック解除する請求項１記載の引き込み機能を持たせた引出家具。
【発明の詳細な説明】
【技術分野】
【０００１】  本発明は、引出用の地震時自然ロック装置に関する。
【背景技術】
【０００２】  従来の引出用の地震時自動ロック装置は、引出自体の奧側に掛金具と、引出を収納する家具本体の奥側にロック装置本体を設ける構造のものが主に用いられている。
【特許文献１】  特開平０９−２２４７６５
【発明の開示】
【発明が解決しようとする課題】  然しながら、これまでの地震用引出ロック装置は、少しでも引出が開いた状態の時に地震に見舞われると引出がそのまま飛び出してしまう欠点があり、従って引出が半開き状態での地震であってもそのまま自然的に即引き込んでロック状態を保ち、その震動や振動が静止し正常状態になったとき、自然にロック解除して通常状態に戻る引出用の耐震自然ロック装置が引出家具に求められる点である。
【課題を解決するための手段】
【０００３】  重心を支点上とやや片側寄りにして形成したストッパー振子を引出の底板下面直下の引き出し口直近に設け、一方引出底板下面に単体又は前後方向に列なる引出ストッパー（突起）を形成し、地震動でストッパー振子の片側が振り上がり、引出底板下面の突起した引出ストッパーに突き当って引出の飛び出しを止め又は引き込む引出用地震時自然ロック装置を構成して引出家具に設ける。
【発明の効果】
【０００４】  本発明の引出用地震時自然ロック装置は、地震やその他の振動を受けると瞬時に引出の飛び出しをストップさせ、また半開きや中途開き状態の引出を瞬時にその位置から引き込み、その地震や揺れが静止すると引出のロックが自然的に解除され平常状態に戻る。【０００５】  引出用地震時自然ロック装置は、引出の開け始め、又は開閉途中、あるいは収納物の出し入れの使用中において突然の地震に見舞われても引出をその状態の位置で瞬時にストップさせ飛び出しを止めると同時に瞬時にして引出を引き込みロックするので安全である。【０００６】  また引越しやその他で、家具或いは机を移動する時、又は運搬時にその震動や揺れ又は前傾きに反応し、自然ロックされて引出が飛び出さないため地震以外においても機能するので便利である。
【発明を実施するための最良の形態】
【０００７】  本発明の引出用地震時自然ロック装置は、本体を家具体の引き出し口直近に設けることで、引出の在位置状況を問わず引出の奥行き全長に亘って確実にロックし、引き込ませる作用を単純なストッパー振子の可動部品一点で完全機能させる目的を実現した。【０００８】  従って一点の可動部品で機能する構成なので故障がなく取付も簡単で製造コストにおいても経済的である。【０００９】以下、本発明の実施の形態を図１〜図３に基づいて説明する。
【実施例１】
【００１０】  図１〜図３は本発明の１実施例の側面図で、図１は平常状態を示す図であり、図２図３は地震時の作動状態を示す図である。
図１〜図３において、１はストッパー振子である。
ストッパー振子１は、逆三角形状にして上部に重心を置き、先端にストッパー２と後端に戻し３及び下部に軸４を設け、重心をややストッパー２側に置いて形成し、上面を水平にして家具本体の引き出し口９直近の下側内部側板に設ける。
因みに、ストッパー振子１の上側中心部にボール溝を成形してボールを設け、地震時のボール移動でより一層反応を敏感にすることもできる。【００１１】  地震でストッパー振子１が引出６の飛び出す方向に揺られた場合、ストッパー２側が振り上がって引出６の底板７の下面に形成した引出ストッパー５に突き当たって引出６をストップさせ、その反動で引出６を引き戻して閉ざし込む。
地震が治まり静止すると、やや重心のあるストッパー２側が重力で自然的に下がってストッパー振子１が水平に戻り、引出６のロックが自然的に即解除され開閉が自由になる。【００１２】  図１〜図３において、２はストッパーである。
ストッパー２は、引出６の底板７の下面に設けた引出ストッパー５の凹部に合致する形状でストッパー振子１の先端上面に小高く突出して成形し、地震時の揺れでこの部所が振り上がって引出ストッパー５の前面に当接し、引出６の飛び出しをストップさせ、ロックの反動で引出ストッパー５をそのまま引き戻して引出６を閉ざし込む。【００１３】  図１〜図３において、３は戻しである。
戻し３は、ストッパー振子１の後端であり、ストッパー振子１の家具本体へ取り付けにおいて、引き出し口９の前面枠外面と戻し３の末端を同一面にしてストッパー振子１を水平に設ける。
因みに引出家具が地震で手前に傾いたとき、少し開いた状態の引出６の前板下部裏面８と引き出し口９の前面枠外面との間に隙間が生じるのでその隙間から戻し３を押し上げることで引き出し６を解放でき収納物を取り出せる。
また引出家具が正常状態になったときに引出６を閉めることで前板下部裏面８が戻し３に当接してストッパー振子１を水平に戻し平常状態にする。【００１４】  図１〜図３において、４は軸である。
軸４は、ストッパー振子１の下部両サイドに形成した支点で、地震時にストッパー振子１を地震動に追従して自在に揺り動かし、引出６をロックして飛び出しを防ぐ。
因みに軸４を省いてストッパー振子１の下側末端をＶ型に形成し、ストッパー振子１の支持台に窪みを設けて戴置方式にしてもよい。【００１５】    図１〜図３において、５は引出ストッパーである。
引出ストッパー５は、引出６の底板７下面に単体又は列なって奥行き方向に形成し、地震時にストッパー振子１のストッパー２の部分が震動で振り上がって引出ストッパー５に突き当り、引出６の飛び出しをストップさせ、また中途開き状態の引出６をロックの反動でその位置からそのままストッパー２で引き戻して引出６を閉ざし込み再度ロックする。【００１６】  図１〜図３において、６は引出である。
引出６は、底板７の下面に引出ストッパー５を単体又は列ねて奥行き方向に成形し、地震時に振り上がるストッパー振子１先端のストッパー２が引出ストパー５に突き当りロックして引出６の飛び出しを止める。【００１７】  図１〜図３において、７は底板である。
底板７は、その下面端側に単体又は列ねた引出ストッパー５を設ける。【００１８】  図１〜図３において、８は前板下部裏面である。
前板下部裏面８は、地震静止後ストッパー振子１が傾いた状態のままになった場合にも引出６を閉ざすと後端の戻し３に当接してストッパー振子１を平常状態の水平に戻すことになる。【００１９】  図１〜図３において、９は引き出し口である。
引き出し口９は、引出を出し入れする引出６そのものを収納する家具の開口部である。
【産業上の利用可能性】
【００２０】  本発明の引出用地震時自然ロック装置は、乗物など様々な形態の引出にも応用できる。
【図面の簡単な説明】
【００２１】
【図１】本発明の実施形態を示す通常状態の側面図
【図２】図１で示す状態での地震時のロック状態を示す側面図
【図３】引出の半開き状態での地震時のロック状態を示す側面図
【符号の説明】
【００２２】１  ストッパー振子
２  ストッパー
３  戻し
４  軸
５  引出ストッパー
６  引出
７  底板
８  前板下部裏面
９  引き出し口
【図１】
2007037930.tif 000003
【図２】
2007037930.tif 000004
【図３】
2007037930.tif 000005